(57)【要約】      （修正有）【課題】空気袋が備えられた携帯用防水パックを提供する。【解決手段】携帯用防水パック３０に関し、防水パックのパック本体部１の背面に空気が注入された空気袋１３を備える。【選択図】図１ｂ
2013142898.tif 000002
【特許請求の範囲】
【請求項１】
所定厚さを有し、内部が空の空間に形成されるパック本体部と、前記パック本体部の前面に内部に収容された携帯端末機を見ることができるように形成された透明窓と、前記パック本体部の背面上に収容された携帯端末機のカメラレンズが露出されるようにレンズ窓とを備える携帯用防水パックにおいて、
前記パック本体部の背面上に浸水の時水の上に浮び上がることができるように浮力を作用させる空気袋が備えられたことを特徴とする携帯用防水パック。
【請求項２】
前記空気袋は透明な前記レンズ窓の底部に形成されることを特徴とする請求項１に記載の携帯用防水パック。
【請求項３】
前記空気袋は前記レンズ窓と対向する上側部がレンズ窓の底部とずれた形状に形成されることを特徴とする請求項１に記載の携帯用防水パック。
【請求項４】
前記空気袋の上側部に携帯用防水パックの入口部を固定するための固定部材が備えられることを特徴とする請求項１に記載の携帯用防水パック。
【発明の詳細な説明】
【技術分野】
【０００１】
本発明は空気袋が備えられた携帯用防水パックに関し、より詳しくは、防水パックのパック本体部の背面に空気が注入された空気袋が備えられることによって、別途の浮力手段を装着しなくても、スマートフォンなどのような携帯端末機が水に浸水された場合、水の上に浮び上がって端末機の紛失危険を減らすことができる空気袋が備えられた携帯用防水パックに関する。
【背景技術】
【０００２】
一般に、携帯用防水パックは携帯電話やスマートフォンなどのような携帯用通信端末機などを収容して、水と接触された時や浸水された時などにも内部に収容された機器が損傷されないようにする用途に使われている。
【０００３】
しかしながら、このような従来の携帯用防水パックは、浸水された時、水の上に浮び上がらなくて紛失の危険があった。
【０００４】
特に、最近、スマートフォンやカメラなどの電子製品の密度が高くなるにつれて重量が重くなって、浮力ストラップを別途に装着しない場合、浸水時、紛失の危険を防止することができないと問題点がある。
【発明の概要】
【発明が解決しようとする課題】
【０００５】
従って、本発明は上述した従来の問題点を解決するために案出されたもので、携帯用防水パック本体の背面に空気が充填された空気袋が備えられるようにして、携帯端末機が浸水された時にも水中に沈まないで浮び上がるようにして、携帯端末機の紛失を防止することができる空気袋が備えられた携帯用防水パックを提供することを目的とする。
【課題を解決するための手段】
【０００６】
上記目的を達するための本発明の携帯用防水パックは、所定厚さを有し、内部が空の空間に形成されるパック本体部と、上記パック本体部の前面に内部に収容された携帯端末機を見ることができるように形成された透明窓と、上記パック本体部の背面に収容された携帯端末機のカメラレンズが露出されるようにレンズ窓とを備える携帯用防水パックにおいて、上記パック本体部の背面に空気袋を備えて、携帯端末機が浸水された時、浮力作用によって水の上に浮び上がって紛失が防止されるようにしたことを特徴とする。
【０００７】
本発明の上記空気袋は透明な上記レンズ窓の底部に形成されるようにすることが好ましい。
【０００８】
また、上記空気袋は上記レンズ窓と対向する上側部がレンズ窓の底部とずれた形状に形成されるようにすることができる。
【０００９】
同時に、上記空気袋の上側部に携帯用防水パック入口部を固定するための固定部材が備えられるようにすることもできる。
【発明の効果】
【００１０】
本発明の携帯用防水パックによれば、防水パック本体の背面に空気が充填された空気袋が備えられることによって、携帯端末機が浸水された時にも水中に沈まないで浮び上がって携帯端末機の紛失を防止することができる効果を奏する。
【００１１】
また、最近、スマートフォンやカメラなどの電子製品の密度が高くなるにつれて重量が重くなることによって、別途の浮力ストラップを設置しなくても良いので浸水を防止することができるという長所がある。
【図面の簡単な説明】
【００１２】
【図１ａ】本発明による空気袋が備えられた携帯用防水パックの前面を示す図面である
【図１ｂ】本発明による空気袋が備えられた携帯用防水パックの背面を示す図面である。
【図２ａ】上記図１ａ及び図１ｂの携帯用防水パックの上部側の一部を拡大図示した図面である。
【図２ｂ】空気袋に連結される空気注入口の形成状態を示す図面である。
【図３】本発明による携帯用防水パックを複数製造する時、空気注入口の形成例を示す図面である。
【図４ａ】本発明による携帯用防水パック製品の写真の一例を示す図面である。
【図４ｂ】本発明による携帯用防水パック製品の写真の一例を示す図面である。
【図４ｃ】本発明による携帯用防水パック製品の写真の一例を示す図面である。
【発明を実施するための形態】
【００１３】
以下添付された図面を参照して本発明による空気袋が備えられた携帯用防水パックの最適な実施例について詳しく説明する。
【００１４】
図１ａ及び図１ｂはそれぞれ本発明による空気袋が備えられた携帯用防水パックの前面及び背面を示す図面である
図２ａは上記図１ａ及び図１ｂの携帯用防水パックの上部側の一部を拡大図示した図面であり、図２ｂは空気袋に連結される空気注入口の形成状態を示す図面である。
【００１５】
図３は本発明による携帯用防水パックを複数製造する時、空気注入口の形成例を示す図面である。また、図３は本発明による携帯用防水パックを製造する時、空気袋に連結される空気注入口の形成状態を示す図面である。
【００１６】
また、図４ａ〜図４ｃは本発明による携帯用防水パック製品の写真の一例を示す図面であり、防水パック製品を長手方向に展開した状態の図面である。
【００１７】
上記図面において、図４ａは防水パックの前面であり、図４ｂは背面を示す図面である。
【００１８】
上記図面によれば、本発明による空気袋が備えられた携帯用防水パック３０は、内部にスマートフォンのような個人携帯通信端末機（以下「携帯端末機」と言う）を内部に収容して、防水パックの入口部５を折畳んで入口部５を封止することによって、外部からの浸水を防止する役割を果たすように構成されている。この時、上記入口部５が折畳まれる部位は図４ｂの折畳線１７で、この部位に沿って折畳んだ後には、入口部固定部材８によって折畳まれた状態が固定される。
【００１９】
このような機能を果たす携帯用防水パック３０は、通常、所定厚さを有し、内部が空の空間に形成されるパック本体部１と、パック本体部１の前面に内部に収容された携帯端末機の状態を見ることができるように形成された透明窓３と、パック本体部１の背面に収容された携帯端末機のカメラレンズが露出されるように透明なレンズ窓１１とが形成された構造からなっている。
【００２０】
パック本体部１の前面に位置した透明窓３は、前面部の全体面積の大部分を占める大きさに形成され、略四角形に形成される。そして、パック本体部１の背面に位置したレンズ窓１１は上記前面部の透明窓３に比べて相対的に小さい大きさに形成され、その形状は、例えば、「┐」字状を１８０度横方向に回転させた形状に形成することができ、上記形状以外にもピーナッツの形状を含む何れの形状に変形することができる。
【００２１】
また、携帯用防水パック３０のパック本体部１の携帯端末機収容入口部５（図４ｂ及び図４ｃの端部を折ってパック本体部１上に固定させるための入口部端部固定部材８（図４ｂ）が形成され、パック本体部１の所定位置に紐を連結することができる紐結束部７（図１ａ及び図１ｂ）も形成される。紐結束部７上には別途の紐を容易に連結させるための貫通孔７ａが形成される。
【００２２】
上記した携帯用防水パック３０の構造において、特に、本発明ではパック本体部１に別途の空気袋１３が備えられるようにしている。即ち、図１ｂ及び図４ｂに示すように、パック本体部１の背面部に所定大きさの空気袋１３が形成される。この時、上記空気袋１３はパック本体部１の底部に形成されるようにすることが好ましい。これは、携帯用防水パック３０の前面で四角形の透明窓３が形成されているため、空気袋１３を形成するための空間を確保しにくいからである。
【００２３】
特に、図４ｂに示すように、本発明の空気袋１３はパック本体部１の背面に形成され、空気袋３の上部はパック本体部１の背面に位置した透明レンズ窓１１の下部に形成されるようにし、空気袋３の下部は紐結束部７の上部、即ち、折畳線１７の上部に位置するようにする。
【００２４】
空気袋１３を形成する時には、図２ｂ及び図３に示すように、空気袋１３の下端部の一側方向にパック本体部１を貫通する空気注入口６が形成されるようにし、この空気注入口６を通じて空気が注入された後、パック本体部１を密閉することによって、空気注入口６が閉鎖される。
【００２５】
一方、本発明の携帯用防水パック３０を製造する過程で、携帯用防水パックを２つ以上同時に製作する時には、図３に示すように、上記空気袋１３の下端一側と貫通する空気注入口６が各携帯用防水パックに形成された空気袋に同時に連結されるようにして製造の時容易に加工できるようにする。
【００２６】
図４ａ〜図４ｃは本発明による空気袋が備えられた携帯用防水パックの製品の写真の一例を示す図面であり、図４ｃは空気袋の下部に形成された空気注入口の部位を拡大して示す図面である。
【００２７】
上記図示された携帯用防水パック３０は携帯用防水パックの入口部５（図面上の下端部）が展開された状態の図面で、上記携帯用防水パックの入口部５とその上側部位を除いた全体構造は上述した構造と同じであるため、詳細な説明は省略する。
【００２８】
上記携帯用防水パックの入口部５は上下方向に展開される時、携帯端末機（図示しない）が挿入される空間が形成され、端末機が入口部５を通じてパック本体部１の内部に挿入された後には、携帯用防水パックの入口部５の内側に設けられた結着手段（図示しない）を利用して入口部を密着させて密閉した後、入口部５を巻いてベルクロのような固定手段８（図４ｂ）を利用して巻いた（折畳んだ）状態を固定させることによって端末機の収容が完了する。
【００２９】
一方、本発明による携帯用防水パック３０において、図４ａに示すように、携帯用防水パックの前面に別途の補助カバー１０を形成することができ、この補助カバー１０の上側面にメーカーまたは販売会社の情報を現すロゴを附着することができるロゴ付着部９を形成することもできる。
【００３０】
以上で説明した本発明の携帯用防水パックに備えられた空気袋は、他の多様な製品にも同じく適用されることができる。例えば、本出願人が出願して登録された携帯用防水パック（登録第１０１０４２９２８号）、デジタルカメラー用防水ケース（登録第２００３９２３４６号）、バー状携帯電話用防水ケース（登録第３００４６８６１７００００号）を含んでこれに類似する全ての携帯用防水パックの製品に適用することができる。
【００３１】
本発明は、本発明に属する技術分野において通常の知識を有する者が本発明の技術思想を逸脱しない範囲内で様々な置き換え及び変形が可能であり、上記した実施例及び添付図面に限定されるのではない。
【符号の説明】
【００３２】
１：パック本体部
３：透明窓
５：入口部
６：空気注入口
７：紐結束部
８：固定部材
９：ロゴ付着部
１０：補助カバー
１１：レンズ窓
１３：空気袋
３０：携帯用防水パック
【図１ａ】
2013142898.tif 000003
【図１ｂ】
2013142898.tif 000004
【図２ａ】
2013142898.tif 000005
【図２ｂ】
2013142898.tif 000006
【図３】
2013142898.tif 000007
【図４ａ】
2013142898.tif 000008
【図４ｂ】
2013142898.tif 000009
【図４ｃ】
2013142898.tif 000010